(57)【特許請求の範囲】
【請求項１】
地表に適宜間隔で立設された支柱上に笠木が設けられた手摺であって、支柱の上部に笠木を連結する連結部が設けられ、この連結部は一方の笠木の一端に設けられた凸型連結具と他方の笠木の一端に設けられた凹型連結具が回動自在に軸着されたもので、凸型連結具は笠木端部に取着される基部とこの基部に取り付けられて突設された前記基部とは別体で形成された凸部からなり、この凸部は球体の上下が欠除された円盤状の形状となされ、凹型連結具は笠木端部に取着される基部とこの基部に取り付けられて突設された前記基部とは別体で形成された凹部からなり、この凹部は球体の中央が円盤状に欠除された形状となされ、凸型連結具の凸部が凹型連結具の凹部に挿入されると共に、凸部と凹部を上下に貫通する連結軸により、前記凸部と凹部は前記連結軸を回動中心として回動自在に連結されて、連結された凸部と凹部により球体が形成され、かつ、凸部と凹部の回動中心となる前記連結軸が、支柱の中心線上に設けられたことを特徴とする手摺。
【発明の詳細な説明】
【技術分野】
【０００１】
本発明は、主として敷地外から玄関へのアプローチや玄関ポーチなどに設けられる手摺の連結構造に関し、特に非直線的に手摺りを連結するときに好適な手摺りの連結構造に関する。
【背景技術】
【０００２】
従来、敷地外から玄関へのアプローチや玄関ポーチなどに設けられる手摺として、特開平１０−２４５９５４号に略直線状のパイプを適宜切断連結して支柱と手摺り棒とを形成してなる手摺りであって、該手摺りの要部に配設される適宜形状の継ぎ手にパイプを差し込み勝手にし、前記継ぎ手とパイプとの適宜差し込み位置と角度で固定する手段を具備してなるパイプ手摺りが提案されている。
【０００３】
又、非直線的に笠木を連結する構造を本出願人は特開２００１−１７３１８７号に提案している。
【特許文献１】特開平１０−２４５９５４号
【特許文献２】特開２００１−１７３１８７号
【発明の開示】
【発明が解決しようとする課題】
【０００４】
しかしながら上記の如き特開平１０−２４５９５４号に提案されている手摺りにおいては、略直線状のパイプを適宜切断連結して支柱と手摺棒とを形成してなる手摺であって、該手摺の要部に配設される適宜形状の継手にパイプを差し込み勝手にし、前記継手とパイプとの適宜差し込み位置と角度で固定する手段を具備してなるパイプ手摺であるから、手摺の主要部品である支柱と手摺棒とを量産または市販品のパイプから流用でき、また、適宜に切断されたパイプを連結する継手も、パイプを差し込み勝手に形成して固定するという簡単な構造のものでよいから、全体として大量、安価に生産でき、また、継手にパイプを差し込む形式はパイプの切断面が少々雑であっても組立、使用上問題なく、少々熟練度の劣る作業者でも容易に組立できる。さらに、市販品のパイプを流用するのであるから品質も安定し、利用者の安全をはかることができる。さらに、パイプと継手が別部材である場合、パイプをアルミのシルバ−仕上げに、継手を樹脂のオレンジ、グリ−ン等のカラ−で組み合わせる等すると、カラフルで楽しい手摺を提供できる効果を奏するものの、笠木を非直線的に設置しようとすると笠木と笠木を連結できないという問題があった。
【０００５】
又、特開２００１−１７３１８７号に提案した連結構造は、一方の手摺り本体の一端に設けられた凸型連結具と他方の手摺りの一端に設けられた凹型連結具が回動自在に軸着された手摺りの連結構造に於いて、凸型連結具は手摺り本体に取着される基部とこの基部に突設された凸部からなり、この凸部は球体の上下が欠除された円盤状の形状となされ、凹型連結具は手摺り本体に取着される基部とこの基部に突設された凹部からなり、この凹部は球体の中央が円盤状に欠除された形状となされ、凸型連結具の凸部が凹型連結具の凹部に挿入されて凸部と凹部を貫通する連結軸により回動自在に連結され、連結された凸部と凹部により球体が形成されたもので、凸型連結具の凸部が凹型連結具の凹部に挟持されて連結されるので、構造強度に優れ、連結部に捻りモーメントがかかったときにも連結部がズレ難いという効果を奏するものの連結具が支柱の位置から離れるため、連結具の位置に強い力が加わると撓みが起きやすいという問題があった。
【０００６】
そこで本発明者は従来の欠点に鑑み鋭意研究の結果、アプローチや玄関ポーチのステップなどに容易に設置でき、構造強度に優れ、手摺笠木を任意の角度で接合することができる手摺りの連結構造を提供するものである。
【課題を解決するための手段】
【０００７】
本発明の手摺は、地表に適宜間隔で立設された支柱上に笠木が設けられた手摺であって、支柱の上部に笠木を連結する連結部が設けられ、この連結部は一方の笠木の一端に設けられた凸型連結具と他方の笠木の一端に設けられた凹型連結具が回動自在に軸着されたもので、凸型連結具は笠木端部に取着される基部とこの基部に取り付けられて突設された前記基部とは別体で形成された凸部からなり、この凸部は球体の上下が欠除された円盤状の形状となされ、凹型連結具は笠木端部に取着される基部とこの基部に取り付けられて突設された前記基部とは別体で形成された凹部からなり、この凹部は球体の中央が円盤状に欠除された形状となされ、凸型連結具の凸部が凹型連結具の凹部に挿入されると共に、凸部と凹部を上下に貫通する連結軸により、前記凸部と凹部は前記連結軸を回動中心として回動自在に連結されて、連結された凸部と凹部により球体が形成され、かつ、凸部と凹部の回動中心となる前記連結軸が、支柱の中心線上に設けられたもので、凸型連結具の凸部が凹型連結具の凹部に挟持されて連結されるので、構造強度に優れ、連結部に捻りモーメントがかかったときにも連結部がズレ難い。又、連結部が支柱に設けられているので連結部に強い力が加わっても撓みにくい。
【０００８】
又、本発明の手摺は、連結部の回動中心が、支柱の中心線上に設けられたもので、支柱の位置で笠木の設置角度を変えることができる。
【発明の効果】
【０００９】
本発明の手摺は、地表に適宜間隔で立設された支柱上に笠木が設けられた手摺であって、支柱の上部に笠木を連結する連結部が設けられ、この連結部は一方の笠木の一端に設けられた凸型連結具と他方の笠木の一端に設けられた凹型連結具が回動自在に軸着されたもので、凸型連結具は笠木端部に取着される基部とこの基部に取り付けられて突設された前記基部とは別体で形成された凸部からなり、この凸部は球体の上下が欠除された円盤状の形状となされ、凹型連結具は笠木端部に取着される基部とこの基部に取り付けられて突設された前記基部とは別体で形成された凹部からなり、この凹部は球体の中央が円盤状に欠除された形状となされ、凸型連結具の凸部が凹型連結具の凹部に挿入されると共に、凸部と凹部を上下に貫通する連結軸により、前記凸部と凹部は前記連結軸を回動中心として回動自在に連結されて、連結された凸部と凹部により球体が形成され、かつ、凸部と凹部の回動中心となる前記連結軸が、支柱の中心線上に設けられているので、構造強度に優れ、連結部に捻りモーメントがかかったときにも連結部がズレ難い。又、連結部が支柱に設けられているので連結部に強い力が加わっても撓みにくい。又、連結される手摺りが任意の角度で連結でき、連結角度にかかわらず、連結部の形状が変わらない。又、連結部に球体が形成されるので、手摺りの使用の際、手摺り上に手を滑らせたときにも、連結部に鋭角凸部がなく、安全で、手触りがよい。
【００１０】
又、本発明の手摺は、連結部の回動中心が、支柱の中心線上に設けられたもので、支柱の位置で笠木の設置角度を変えることができるので、笠木に加わった力がバランスよく支柱に伝達され、高強度となる。又、笠木の設置角度の変わる位置が支柱の中心線上なので、外観的なバランスにも優れる。
【発明を実施するための最良の形態】
【００１１】
図１は本発明手摺の実施形態の一例を示す支柱上部の正面図であり、図２は平面図であり、図３は断面図である。
図に於いて１は支柱であり、支柱１の上端には連結部２が設けられ、この連結部２の基部に笠木の端部が取着されている。
【００１２】
連結部２は凸型連結具２１と凹型連結具２２からなり、凸型連結具２１の凸部２１１が凹型連結具２２の凹部２２１に挿入されて凸部２１１と凹部２２１を貫通する連結軸により回動自在に連結されている。凸型連結具２１と凹型連結具２２は連結されると球形となり、連結軸を中心として回動されたときに連結部２に鋭角部分がなく、手触りがよい。回動軸はこの例では、ボルトが用いられ凹型連結具２２と凸型連結具２１を連結するとともに、各連結具を互いに回動させるための軸となされている。
【００１３】
凸型連結具２１は凸部２１１と基部２１２よりなり、凸部２１１は基部２１２に対して回動可能に取り付けられている。基部２１２は一方が開口する円筒形状の開口部となされ、この基部の開口部内形は笠木の外形と略同形となされている。この基部２１２の開口部に手摺り本体の端部が挿入され、笠木の端部に凸型連結具２１が取りつけられる。基部２１２の他端には球体の上下が欠如された円盤状の凸部２１１が形成されている。この凸部２１１の中央には透孔が穿設され、連結孔となされている。
【００１４】
凹型連結具２２は凹部２２１と基部２２２よりなり、凹部２２１は基部２２２に対して回動可能に取り付けられている。基部２２２は一方が開口する円筒形状の開口部となされ、この基部２２２の開口部の内形は笠木の外形と略同形となされている。この基部２２２の開口部に笠木の端部が挿入され、笠木の端部に凹型連結具２２が取りつけられる。基部２２２の他端には球体の中央が円盤状に欠除されて凹部２２１が設けられている。この凹部２２１を構成する下部の半球状体の中央には透孔が穿設されている。又、上部の半球状体の中央には上端が封止された封止孔が形成されている。凹部２２１の透孔から挿入されたボルトが凸型連結具２１の連結孔を貫通して封止孔に螺入され、凹型連結具２２と凸型連結具２１が回動可能に取り付けられる。凹型連結具２２の基部の下部には、支柱取付部２２３が設けられ、支柱１上端に取り付けられる。
【００１５】
笠木の連結に於いては、一方の笠木の端部に設けられた凹型連結具２２の凹部２２１に他方の手摺りの端部に設けられた凸型連結具２１の凸部２１１が挿入され、凹部２２１の上端からボルトが挿入され、凹部２２１の下部に螺着され、互いに重なり合った凸部２１１と凹部２２１がボルトを連結軸として、回動自在に軸着される。互いに重なり合った凸部２１１と凹部２２１は球を形成し、互いの連結具が任意の角度で連結されたときにも連結部２の形状が変わらない。手摺りの使用の際、笠木上に手を滑らせたときにも、連結部２に鋭角突部がなく、安全で、手触りがよい。
【００１６】
連結部２の回動中心は、支柱１の中心線上に設けられたもので、支柱１の位置で笠木の設置角度を変えることができるので、笠木に加わった力がバランスよく支柱１に伝達され、高強度となる。又、笠木の設置角度の変わる位置が支柱１の中心線上なので、外観的なバランスにも優れる。
【００１７】
本発明における凸型連結具２１と凹型連結具２２は、合成樹脂や金属など適宜材料から作製されればよいが、亜鉛やアルミ合金のダイカストによれば強度が高く、好適である。又、その表面は塗装などの適宜処理が施されればよい。
【００１８】
支柱１は適宜材料から作製されればよいが、ステンレス鋼管やアルミ合金押し出し型材などが好適に用いられる。支柱１の上端には連結部２が設けられ、この連結部２を介して笠木が連結されている。
【図面の簡単な説明】
【００１９】
【図１】本発明手摺の実施形態の一例を示す正面図である。
【図２】本発明手摺の実施形態の一例を示す平面図である。
【図３】本発明手摺の実施形態の一例を示す断面図である。
【符号の説明】
【００２０】
１    支柱
２    連結部
２１  凸型連結具
２１１  凸部
２１２  基部
２２  凹型連結具
２２１  凹部
２２２  基部
２２３  支柱取付部
【図１】
0005209849.tif 000002
【図２】
0005209849.tif 000003
【図３】
0005209849.tif 000004